(57)【要約】本発明は、全体の１２ビットのｒａｗビデオを一度にエンコードして、Ｈ．２６４／ＡＶＣに互換性のあるベースレイヤ及びスケーラブルエンハンスメントレイヤを含む１つのビットストルームを生成するスケーラブルなソリューションを与える。Ｈ．２６４／ＡＶＣデコーダがクライアント側で利用可能な場合、ベースレイヤサブビットストリームのみがデコードされ、デコードされた８ビットビデオは、従来の８ビット表示装置で見ることができる。カラービット深度スケーラブルデコーダがクライアント側で利用可能な場合、ベースレイヤ及びエンハンスメントの両者のサブビットストリームがデコードされて、１２ビットビデオが取得され、この１２ビットビデオは、８ビット以上のビット数をサポートする高品質表示装置で見ることができる。
2010507939.tif 000002
【特許請求の範囲】
【請求項１】
カラービット深度のスケーラビリティをサポートするため、Ｈ．２６４／ＡＶＣのスケーラブル拡張機能（ＳＶＣ）に対する技術的なソリューションを提供する方法。
【請求項２】
ＳＶＣ ＳＰＳシンタックスであるseq_parameter_set_svc_extensionに２つの新たなシンタックスエレメントが追加され、
前記２つの新たなシンタックスは、
カラービット深度のスケーラビリティのプロセスを指示するbit_depth_scalability_flagであって、カラービット深度の予測のプロセスがレイヤ間予測で起動されることを規定するために１に等しく、さもなければ（０に等しい）、カラービット深度の予測のプロセスが起動されないこと（デフォルト）を規定するbit_depth_scalability_flagと、
カラービット深度のレイヤ間予測のアプローチを規定するbit_depth_pred_idcであって、カラービット深度のレイヤ間予測としてビットシフトの動作が利用されること（デフォルト）を規定するために０に等しく、さもなければ、高度なカラービット深度予測のために充てられることを規定するbit_depth_pred_idcと、
を含むことを特徴とする請求項１記載の方法。
【発明の詳細な説明】
【技術分野】
【０００１】
本発明は、デジタルビデオコーディングの技術分野に関する。  
本発明は、カラービット深度のスケーラビリティという新たなタイプのスケーラビリティの技術的なソリューションを提供する。２つの新たなシンタックスエレメントが提供され、ＳＶＣ（scalable video coding）に追加される。
【背景技術】
【０００２】
近年、科学的な画像形成、デジタルシネマ、高品質のビデオイネーブルコンピュータゲーム、及びプロフェッショナルなスタジオ及びホームシアターに関連する応用のような多くの分野において、従来の８ビットのカラー深度ではなく、より多くのビットのカラー深度が益々望まれている。これに応じて、最新のビデオ符号化技術であるＨ．２６４／ＡＶＣは、忠実度範囲の拡張（Fidelity Range Extension）を既に含んでおり、この拡張は、サンプル当たり１４ビットまでをサポートし、４：４：４クロマサンプリングまでをサポートする。
【発明の概要】
【発明が解決しようとする課題】
【０００３】
しかし、既存の多ビット符号化のソリューションの何れもが、カラービット深度のスケーラビリティをサポートしていない。同じｒａｗビデオについて、（たとえば１２ビットであるカラービット深度の異なる要求をもつ）２つの異なるデコーダ（又はクライアント）によるシナリオを有するとする。既存のＨ．２６４／ＡＶＣのソリューションは、１２ビットのｒａｗビデオをエンコードして、ビットストリームｎｏ．１を生成し、次いで、１２ビットのｒａｗビデオを８ビットのｒａｗビデオに変換し、８ビットのｒａｗビデオをエンコードしてビットストリームｎｏ．２を生成する。ビデオを異なるビット深度を要求する異なるクライアントに伝送する場合、ビデオを２度にわたり伝送するか、１つのデスクで２つのビットストリームを纏める必要がある。これは、圧縮率及び動作の複雑度の両者に関して低い効率である。
【課題を解決するための手段】
【０００４】
本発明は、１２ビットのｒａｗビデオ全体を１度にエンコードして１つのビットストリームを生成するスケーラブルソリューションを提供するものであり、この１つのビットストリームは、Ｈ．２６４／ＡＶＣ互換性のあるベースレイヤ及びスケーラブルエンハンスメントレイヤを含む。Ｈ．２６４／ＡＶＣデコーダがクライアント側で利用可能である場合、ベースレイヤのサブビットストリームのみがデコードされ、デコードされた８ビットビデオは、従来の８ビット表示装置で見ることができる。カラービット深度のスケーラブルデコーダがクライアント側で利用可能である場合、ベースレイヤ及びエンハンスメントレイヤの両者のサブビットストリームがデコードされて、１２ビットビデオが取得され、この１２ビットビデオは、８ビットを超えるビット数をサポートする高品質の表示装置で見ることができる。
【図面の簡単な説明】
【０００５】
【図１】カラービット深度のスケーラブルコーディングのフレームワークを例示する図である。
【発明を実施するための最良の形態】
【０００６】
提案されるカラービット深度のスケーラブルコーディングのフレームワークは、図１に示される。図１では、ビデオコーデックへの入力として、Ｎビットｒａｗビデオ及びＭビット（通常は８ビット）ビデオ（Ｎ＞Ｍ）である２つのビデオが使用される。Ｍビットビデオは、Ｎビットｒａｗビデオから変換されるか、他の方法により与えられる。
【０００７】
Ｍビットビデオは、内部のＨ．２６４／ＡＶＣエンコーダを使用して、ベースレイヤとしてエンコードされる。Ｎビットビデオは、スケーラブルエンコーダを使用してエンハンスメントレイヤとしてエンコードされる。エンハンスメントレイヤの符号化効率は、ベースレイヤの情報を利用することで、大幅に改善される。エンハンスメントレイヤのエンコードにおいてベースレイヤ情報を利用することを、レイヤ間予測（inter-layer prediction）と呼ぶ。それぞれの画像である、マクロブロック（ＭＢ）のグループは、２つのアクセスユニットを有しており、一方はベースレイヤ用であり、他方はエンハンスメントレイヤ用である。符号化されたビットストリームは多重化され、スケーラブルビットストリームが形成される。
【０００８】
デコーディングプロセスの間、ベースレイヤデコーダは、ビットストリーム全体から抽出されたベースレイヤサブストリームのみを使用して、Ｍビットの再構成されたビデオを供給する。ビットストリーム全体をデコードすることで、Ｎビットビデオを再構成することができる。
【０００９】
この部分において、カラービット深度のスケーラビリティに対する技術的なソリューションを与える。ハイライト表示されるように、bit_depth_scalability_flag及びbit_depth_pred_idcという２つの新たなシンタックスエレメントがＳＶＣ拡張（seq_parameter_set_svc_extension()）におけるＳＶＣ ＳＰＳに追加され、カラービット深度のスケーラビリティがサポートされる。
【００１０】
【表１】
2010507939.tif 000003
１に等しいbit_depth_scalability_flagは、カラービット深度の予測のプロセスがレイヤ間予測で起動されることを規定する。さもなければ（０に等しい）、カラービット深度の予測のプロセスが起動されないことを規定する（デフォルト）。
【００１１】
０に等しいbit_depth_pred_idcは、カラービット深度のレイヤ間予測としてビットシフトの動作が利用されることを規定する（デフォルト）。さもなければ、高度なカラービット深度予測のために充てられる。
【図１】
2010507939.tif 000004
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
ビット深度のスケーラブルな方式でビデオデータをエンコードする方法であって、
エンハンスメントレイヤビデオは、再構成されたベースレイヤビデオから予測され、
ビット深度のスケーラビリティのプロセスを定義するため、少なくとも第一の指示と異なる第二の指示が前記ビデオデータに追加され、
前記第一の指示（bit_depth_scalability_flag）が第一の値を有する場合、ビット深度のレイヤ間予測が利用されないことが規定され、
前記第一の指示（bit_depth_scalability_flag）が第二の値を有する場合、前記ビット深度のレイヤ間予測が利用されることが規定され、前記レイヤ間予測のタイプは、前記第二の指示の値（bit_depth_pred_idc）に依存し、
前記第二の指示が第一の値を有する場合、ビットシフトに基づくレイヤ間予測が使用され、
前記第二の指示が前記第一の値とは別の値を有する場合、高度なビット深度予測が利用される、
ことを特徴とする方法。
【請求項２】
２つの新たなシンタックスエレメントが追加され、
第一のシンタックスエレメント（bit_depth_scalability_flag）は、カラービット深度のスケーラビリティのプロセスを指示し、前記第一のシンタックスエレメントが１に等しい場合、カラービット深度の予測のプロセスがレイヤ間予測で起動されることを規定し、０に等しい場合、カラービット深度の予測のプロセスが起動されないことを規定し、
第二のシンタックスエレメント（bit_depth_pred_idc）は、カラービット深度のレイヤ間予測のアプローチを規定し、前記第二のシンタックスエレメントが０に等しい場合、カラービット深度のレイヤ間予測としてビットシフトの動作が利用されることを規定し、１に等しい場合、カラービット深度のレイヤ間予測として高度なカラービット深度の予測が利用されることを規定する、
ことを特徴とする請求項１記載の方法。
【請求項３】
それぞれの画像は、２つのアクセスユニットを有し、一方はベースレイヤ用のアクセスユニットであり、他方はエンハンスメントレイヤ用のアクセスユニットである、
請求項１記載の方法。
【請求項４】
前記符号化されたビットストリームは、スケーラブルなビットストリームを形成するために多重化される、
請求項１記載の方法。
【請求項５】
前記第一の指示に従うデフォルトモードは、カラービット深度の予測のプロセスが行われないことである、
請求項１記載の方法。
【請求項６】
前記第二の指示に従うデフォルトモードは、ビットシフトの動作が利用されることである、
請求項１記載の方法。
【国際調査報告】
2010507939.tif 000005
2010507939.tif 000006